(57)【要約】【課題】使用中に床面の塵埃を吹き飛ばしたり、使用者の上半身に排気が当たることを防止し、使用性の向上を図ったアップライト型電気掃除機を提供する。【解決手段】電動送風機２を内蔵した電動送風機室５と電動送風機室５の上部で電動送風機２の吸引側に位置させた集塵ボックス１２とこの集塵ボックス１２の上方へ突出するハンドル１１を有する掃除機本体１と、掃除機本体１の前面もしくは側面に設けられ電動送風機室５と外気とを連通する排気口３と、掃除機本体１の下方に回動自在に軸支されると共に床面の塵埃を吸引する床ノズル６と、略水平方向に設けた軸（図示せず）を介して排気口３に回動自在に取着された羽板１７とを備えた。【選択図】図１
2011224190.tif 000002
【特許請求の範囲】
【請求項１】
電動送風機を内蔵した電動送風機室と前記電動送風機室の上部で前記電動送風機の吸引側に位置させた集塵室とこの集塵室の上方へ突出するハンドルを有する掃除機本体と、前記掃除機本体の前面もしくは側面に設けられ前記電動送風機室と外気とを連通する排気口と、前記掃除機本体の下方に回動自在に軸支されると共に床面の塵埃を吸引する床ノズルと、略水平方向に設けた軸を介して前記排気口に回動自在に取着された羽板とを備えたアップライト型電気掃除機。
【請求項２】
羽板を、掃除機本体の傾きに関係なく、床面に対して常に略水平方向になるようにした請求項１に記載のアップライト型電気掃除機。
【請求項３】
床ノズルを、その床ノズルに設けた回動軸を介して掃除機本体の下方に回動自在に軸支し、羽板と前記回動軸を連結する連結機構を設けて、前記回動軸の回動に連動して前記羽板を回動させるようにした請求項１又は２にアップライト型電気掃除機。
【請求項４】
連結機構を、回動軸の外周に設けたノズル回動歯車と、前記ノズル回動歯車に連結した連結歯車と、羽板の軸の外周に設けた羽板歯車と、前記連結歯車と前記羽板歯車とを連結するラックで構成した請求項３に記載のアップライト型電気掃除機。
【請求項５】
ノズルを床面に設置させ掃除機本体を床面に対して略直角とした収納状態において、羽板を床面に対して略水平から上方２０度の角度となるように設定した請求項２〜４のいずれか１項に記載のアップライト型電気掃除機。
【請求項６】
羽板の下面の上流側に上流側突起を、上面の下流側に下流側突起をそれぞれ構成した請求項１〜５のいずれか１項に記載のアップライト型電気掃除機。
【発明の詳細な説明】
【技術分野】
【０００１】
本発明は、アップライト型電気掃除機に関するものである。
【背景技術】
【０００２】
従来のアップライト型電気掃除機は、本体下方前部に、排気口を設け、その排気口を、外排気格子と内排気格子を千鳥状に配置にして構成し、床面の塵埃を吹き飛ばしにくくしたものが提案されている（例えば、特許文献１参照）。
【先行技術文献】
【特許文献】
【０００３】
【特許文献１】特開２００６−３２６０２７号公報
【発明の概要】
【発明が解決しようとする課題】
【０００４】
一般に、アップライト型電気掃除機の掃除機本体は、通常使用される状態でノズルを床面に設置させ、床面に対して略直角となる収納状態から掃除機本体が床面に対して略水平となる位置まで角度が変えられるようになっている。しかしながら、上記特許文献１に記載されたような従来のアップライト型電気掃除機の排気口の構成では、形状を千鳥状としたものの、掃除機本体のいずれの角度でも、床面の塵埃を排気により吹き飛ばさないものではなかった。また掃除機本体の角度によっては、使用者の上半身に排気が当たり不快なものであった。
【０００５】
本発明は、前記従来の課題を解決するもので、掃除機本体の角度変化による排気の排出方向の変化を最小限に抑え、使用中に床面の塵埃を排気により吹き飛ばしたり、使用者の上半身に排気が当たることを防止し、使用性の向上を図ったアップライト型電気掃除機を提供することを目的とするものである。
【課題を解決するための手段】
【０００６】
前記従来の課題を解決するために、本発明のアップライト型電気掃除機は、電動送風機を内蔵した電動送風機室と前記電動送風機室の上部で前記電動送風機の吸引側に位置させた集塵室とこの集塵室の上方へ突出するハンドルを有する掃除機本体と、前記掃除機本体の前面もしくは側面に設けられ前記電動送風機室と外気とを連通する排気口と、前記掃除機本体の下方に回動自在に軸支されると共に床面の塵埃を吸引する床ノズルと、略水平方向に設けた軸を介して前記排気口に回動自在に取着された羽板とを備えたもので、回動自在な羽板により排気の方向を規制することが可能となり、排気による塵埃の吹き飛ばしの防止ができ、また使用者の上半身に排気が当たることを防止でき、使用性の向上が行えるものである。
【発明の効果】
【０００７】
本発明のアップライト型電気掃除機は、排気口に設けた羽板により、排気の方向を規制することが可能となり、排気による塵埃の吹き飛ばしの防止ができ、また使用者の上半身に排気が当たることを防止でき使用性の向上を図ることができる。
【図面の簡単な説明】
【０００８】
【図１】本発明の実施の形態１におけるアップライト型電気掃除機の正面図
【図２】同アップライト型電気掃除機の側面図
【図３】同アップライト型電気掃除機の部分断面図（図２のＡ−Ａ断面）
【図４】（ａ）同アップライト型電気掃除機の部分断面図（図３のＢ−Ｂ断面）、（ｂ）同アップライト型電気掃除機の部分断面図（図３のＣ−Ｃ断面）
【図５】（ａ）同アップライト型電気掃除機の部分断面図（図３のＢ−Ｂ断面、掃除機本体を傾けたとき）、（ｂ）同アップライト型電気掃除機の部分断面図（図３のＣ−Ｃ断面、掃除機本体を傾けたとき）
【図６】（ａ）同アップライト型電気掃除機の他の例を示す部分断面図（図３のＣ−Ｃ断面）、（ｂ）同アップライト型電気掃除機の部分断面図（図３のＣ−Ｃ断面、掃除機本体を傾けたとき）
【発明を実施するための形態】
【０００９】
第１の発明は、電動送風機を内蔵した電動送風機室と前記電動送風機室の上部で前記電動送風機の吸引側に位置させた集塵室とこの集塵室の上方へ突出するハンドルを有する掃除機本体と、前記掃除機本体の前面もしくは側面に設けられ前記電動送風機室と外気とを連通する排気口と、前記掃除機本体の下方に回動自在に軸支されると共に床面の塵埃を吸引する床ノズルと、略水平方向に設けた軸を介して前記排気口に回動自在に取着された羽板とを備えたもので、回動自在な羽板により排気の方向を規制することが可能となり、排気による塵埃の吹き飛ばしの防止ができ、また使用者の上半身に排気が当たることを防止でき、使用性の向上が行えるものである。
【００１０】
第２の発明は、特に、第１の発明の羽板を、掃除機本体の傾きに関係なく、床面に対して常に略水平方向になるようにしたもので、床面の清掃時に、掃除機本体を傾けても回動自在の羽板が常に略水平状態になるので、排気による塵埃の吹き飛ばしの防止ができ、また使用者の上半身に排気が当たることを防止でき使用性の向上が行えるものである。
【００１１】
第３の発明は、特に、第１又は第２の発明の床ノズルを、その床ノズルに設けた回動軸を介して掃除機本体の下方に回動自在に軸支し、羽板と前記回動軸を連結する連結機構を設けて、前記回動軸の回動に連動して前記羽板を回動させるようにしたもので、床ノズルが床面に設置した状態で掃除機本体が床面に対して略直角となる収納状態から、掃除機本体が床面に対して略水平となるそれぞれの掃除機本体の角度に連動し、羽板が動作するため使用者が意図して羽板の角度を変える事無く羽板が動作し排気による塵埃の吹き飛ばしを防止でき、また使用者の上半身に排気が当たることを防止でき使用性の向上が行えるものである。
【００１２】
第４の発明は、特に、第３の発明の連結機構を、回動軸の外周に設けたノズル回動歯車と、前記ノズル回動歯車に連結した連結歯車と、羽板の軸の外周に設けた羽板歯車と、前記連結歯車と前記羽板歯車とを連結するラックで構成したもので、掃除機本体の傾動動作と羽板の回動動作を確実に連動させることができる。
【００１３】
第５の発明は、特に、第２〜４のいずれか一つの発明のノズルを床面に設置させ掃除機本体を床面に対して略直角とした収納状態において、羽板を床面に対して略水平から上方２０度の角度となるように設定したもので、床面の塵埃の吹き飛ばし防止の効果をさらに向上させることが出来るものである。
【００１４】
第６の発明は、特に、第１から４のいずれか一つの発明の羽板の下面の上流側に上流側突起を、上面の下流側に下流側突起をそれぞれ構成したもので、排気口を正面から見た際に内部が見えにくい千鳥構成となり外観デザイン的に優れたものとなる。
【００１５】
以下、本発明の実施の形態について、図面を参照しながら説明する。なお、この実施の形態によって本発明が限定されるものではない。
【００１６】
（実施の形態１）
図１は、本発明の実施の形態１におけるアップライト型電気掃除機の正面図、図２は、同アップライト型電気掃除機の側面図、図３は、同アップライト型電気掃除機の部分断面図（図２のＡ−Ａ断面）、図４（ａ）は、同アップライト型電気掃除機の部分断面図（図３のＢ−Ｂ断面）、図４（ｂ）は、同アップライト型電気掃除機の部分断面図（図３のＣ−Ｃ断面）、図５（ａ）は、同アップライト型電気掃除機の部分断面図（図３のＢ−Ｂ断面、掃除機本体を傾けたとき）、図５（ｂ）は、同アップライト型電気掃除機の部分断面図（図３のＣ−Ｃ断面、掃除機本体を傾けたとき）である。
【００１７】
図１、２において、本実施の形態におけるアップライト型電気掃除機の掃除機本体１には、電動送風機２を収納すると共に、電動送風機２の排気を排出する排気口３と、電動送風機２の吸引側に電動送風機室側吸引通路４を具備した電動送風機室５を有している。
【００１８】
６は、床ノズルであり、床面の塵埃を底面より吸引するための吸気通路７と、移動用の床ノズルローラー８を有している。床ノズル６は、掃除機本体１に設けた回動軸穴９ａと、床ノズル６側の回動軸９ｂにより回動自在に軸支されている。１０は、掃除機本体１に回動自在に保持された移動用のローラーである。１１は、掃除機本体１の上方に設けられると共に、使用者が掃除機本体１を操作するためのハンドルである。１２は、掃除機本体１に着脱可能に保持されると共に、塵埃を収集する集塵室となる集塵ボックスであり、集塵ボックス１２には、電動送風機２と連通した電動送風機側吸気通路４と連通する下流側吸気口１３と、ホース１４を介して、床ノズル６の吸気通路７と連通した本体吸気通路１５と連通する吸気口１６を有している。
【００１９】
図３〜５において、１７は、排気口３の左右に設けられた回動軸穴１８に回動自在に軸支された軸１９を有した羽板である。また羽板１７の片側の軸１９の外周には、羽板歯車２０が構成されたものである。床ノズル６の回動軸９ｂの外周には、ノズル回動歯車２１を有している。２２は、前記ノズル回動歯車２１と連結されると共に掃除機本体１に設けた連結歯車軸２２ａに回動自在に構成された連結歯車である。羽板歯車２０と連結歯車２２とはラック２３により連結されている。
【００２０】
以上のように構成された本実施の形態におけるアップライト型電気掃除機について、以下その作用を説明する。図１のように、電動送風機２が発生する吸引により、床ノズル６より吸込まれた塵埃と空気は、吸気通路７、ホース１４、本体吸気通路１５を通過し、吸気口１６より集塵ボックス１２内へ吸込まれる。集塵ボックス１２内で塵埃と空気に分離され、空気のみが下流側吸気口１３より排出され、電動送風機室側吸引通路４、電動送風機２を通過し、電動送風機室５の排気口３より掃除機本体１の外部へ排出される。
【００２１】
次に図４、５について説明する。まず図４は、床ノズル６が床面に接地した状態で掃除機本体１が略直角となる収納状態を示した図であり、排気口３の羽板１７は床面に対して水平もしくは、上方へ略２０度の角度を有して設けられたものである。図５は、図４の収納状態より掃除機本体１を床面に対して略水平に傾けて使用された状態を示している。掃除機本体１を傾けることで、掃除機本体１に構成された連結歯車２２が、ノズル回動歯車２１とかみ合い時計回りに回転し、次に連結歯車２２の回転に合わせ、回転運動をラック２３が直線運動に変化させ、上方に移動する。
【００２２】
次にラック２３の上方への移動の動作は、ラック２３と連結された羽板歯車２０に連結され、羽板歯車２０は反時計周りに回転する。その回転により羽板１７も反時計回りに回転する。この一連の動作により掃除機本体１が傾けられ床面に対して略水平となった際にも羽板１７は、収納状態の時と同じように床面に対して略水平から上方２０度の角度で保たれるようになる。そのため、掃除機本体１の使用者が使用するどの使用状態においても
羽板１７と床面との角度は、略水平から上方２０度の範囲となり、排気が排出される方向が収納状態から変わることがない。そのため排気により床面の塵埃を吹き飛ばすことがなく、また使用者の上半身に排気が当たることもなく、使用性の良いアップライト型電気掃除機を提供することができるものである。
【００２３】
なお、上記実施の形態では、前記掃除機本体１と羽板７の連動について歯車による構成としたが、ベルト、またその他の連結機構により構成しても同様の効果が得られるものである。また、図６に示すように、羽板１７の下面の上流側に上流側突起２４を、上面の下流側に下流側突起２５をそれぞれ設けるようにすれば、下流側突起２５により排気の流れる方向をより上向きに変化させることが可能となり、塵埃を吹き飛ばすことをさらに防止することができ、また、下流側突起２５に加え下面の上流側突起２４を設けることで、排気口３を正面から見た際に内部が見えにくい千鳥構成となり、外観デザイン的に優れたアップライト型電気掃除機を提供することができるものである。
【産業上の利用可能性】
【００２４】
以上のように本発明に係るアップライト型電気掃除機は、使用中に床面の塵埃を排気により吹き飛ばしたり、使用者の上半身に排気が当たることを防止し、使用性の向上を図ったもので、家庭用、業務用の各種アップライト型電気掃除機に適用できる。
【符号の説明】
【００２５】
１  掃除機本体
２  電動送風機
３  排気口
５  電動送風機室
６  床ノズル
９ａ  回動軸穴
９ｂ  回動軸
１１  ハンドル
１２  集塵ボックス（集塵室）
１７  羽板
１９  軸
２１  回動歯車
２２  連結歯車
２３  ラック
２４  上流側突起
２５  下流側突起
【図１】
2011224190.tif 000003
【図２】
2011224190.tif 000004
【図３】
2011224190.tif 000005
【図４】
2011224190.tif 000006
【図５】
2011224190.tif 000007
【図６】
2011224190.tif 000008